【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
コード体系情報とそのコード体系に基づいてコード化するソース情報を取得する情報取得手段と、
端末装置から表示部の仕様の情報を受信し、端末装置の表示部の仕様別にコード生成用パラメータの候補を記憶するパラメータ記憶部を参照し、受信した前記表示部の前記仕様に基づいてコード生成用パラメータを選択するパラメータ取得手段と、
前記コード体系情報および前記コード生成用パラメータから前記ソース情報がコード化されたコード画像を生成するコード生成手段と、
前記コード画像を前記端末装置に送信し、当該コード画像を前記端末装置の前記表示部にドットバイドット表示または整数倍表示させる表示制御手段と、
を備え、
前記パラメータ記憶部は、前記端末装置の表示部の仕様別に、前記コード体系毎に、コード生成用パラメータの複数の候補を当該候補の優先順位を示す情報に対応付けて記憶しており、
前記パラメータ取得手段は、受信した前記表示部の前記仕様に対応する各前記候補の中から優先順位に従って前記コード生成用パラメータを選択する、情報処理装置。
【請求項２】
コード体系情報とそのコード体系に基づいてコード化するソース情報を取得する情報取得手段と、
端末装置から機種の情報を受信し、端末装置の機種別にコード生成用パラメータの候補を記憶するパラメータ記憶部を参照し、受信した前記機種に基づいてコード生成用パラメータを選択するパラメータ取得手段と、
前記コード体系情報および前記コード生成用パラメータから前記ソース情報がコード化されたコード画像を生成するコード生成手段と、
前記コード画像を前記端末装置に送信し、当該コード画像を前記端末装置の表示部にドットバイドット表示または整数倍表示させる表示制御手段と、
を備え、
前記パラメータ記憶部は、前記端末装置の機種別に、前記コード体系毎に、コード生成用パラメータの複数の候補を当該候補の優先順位を示す情報に対応付けて記憶しており、
前記パラメータ取得手段は、受信した前記機種に対応する各前記候補の中から優先順位に従って前記コード生成用パラメータを選択する、情報処理装置。
【請求項３】
請求項１又は２に記載の情報処理装置において、
前記表示部に表示された前記コード画像のスキャナによる読み取りが成功したか否かを示す判定結果を前記端末装置から受信する判定結果取得手段と、
受信した前記判定結果を、前記コード画像を生成するのに使用した前記コード生成用パラメータに対応付けて記録する、または、前記判定結果に基づいて、前記コード生成用パラメータに付与された優先順位を変更する記録手段と、
をさらに備え、
前記パラメータ取得手段は、前記判定結果が読取失敗であることを示す場合に、次の優先順位のコード生成用パラメータを選択し直し、
前記コード生成手段は、選択し直された前記コード生成用パラメータを使用して、前記コード画像を生成し直し、
前記表示制御手段は、前記コード画像を前記端末装置に送信し直す、
情報処理装置。
【請求項４】
コード体系情報とそのコード体系に基づいてコード化するソース情報を取得する情報取得手段と、
端末装置から表示部の仕様又は機種の情報を受信し、端末装置の表示部の仕様別又は機種別にコード生成用パラメータの候補を記憶するパラメータ記憶部を参照し、受信した前記表示部の前記仕様又は前記機種に基づいてコード生成用パラメータを選択するパラメータ取得手段と、
前記コード体系情報および前記コード生成用パラメータから前記ソース情報がコード化されたコード画像を複数生成するコード生成手段と、
前記コード生成手段により生成された複数の前記コード画像の中の少なくとも２つを前記端末装置に送信し、前記少なくとも２つのコード画像を前記端末装置の前記表示部に一括で表示させる表示制御手段と、
を備える、情報処理装置。
【請求項５】
情報処理装置が、
コード体系情報とそのコード体系に基づいてコード化するソース情報を取得し、
端末装置から表示部の仕様の情報を受信し、端末装置の表示部の仕様別にコード生成用パラメータの候補を記憶するパラメータ記憶部を参照し、受信した前記表示部の前記仕様に基づいてコード生成用パラメータを選択し、
前記コード体系情報および前記コード生成用パラメータから前記ソース情報がコード化されたコード画像を生成し、
前記コード画像を前記端末装置に送信し、当該コード画像を前記端末装置の前記表示部にドットバイドット表示または整数倍表示させ、
前記パラメータ記憶部は、前記端末装置の表示部の仕様別に、前記コード体系毎に、コード生成用パラメータの複数の候補を当該候補の優先順位を示す情報に対応付けて記憶しており、
前記情報処理装置が、
受信した前記表示部の前記仕様に対応する各前記候補の中から優先順位に従って前記コード生成用パラメータを選択する、
情報処理方法。
【請求項６】
情報処理装置が、
コード体系情報とそのコード体系に基づいてコード化するソース情報を取得し、
端末装置から機種の情報を受信し、端末装置の機種別にコード生成用パラメータの候補を記憶するパラメータ記憶部を参照し、受信した前記機種に基づいてコード生成用パラメータを選択し、
前記コード体系情報および前記コード生成用パラメータから前記ソース情報がコード化されたコード画像を生成し、
前記コード画像を前記端末装置に送信し、当該コード画像を前記端末装置の表示部にドットバイドット表示または整数倍表示させ、
前記パラメータ記憶部は、前記端末装置の機種別に、前記コード体系毎に、コード生成用パラメータの複数の候補を当該候補の優先順位を示す情報に対応付けて記憶しており、
前記情報処理装置が、
受信した前記機種に対応する各前記候補の中から優先順位に従って前記コード生成用パラメータを選択する、
情報処理方法。
【請求項７】
請求項５又は６に記載の情報処理方法において、
前記情報処理装置が、さらに、
前記表示部に表示された前記コード画像のスキャナによる読み取りが成功したか否かを示す判定結果を前記端末装置から受信し、
受信した前記判定結果を、前記コード画像を生成するのに使用した前記コード生成用パラメータに対応付けて記録する、または、前記判定結果に基づいて、前記コード生成用パラメータに付与された優先順位を変更し、
前記判定結果が読取失敗であることを示す場合に、次の優先順位のコード生成用パラメータを選択し直し、
選択し直された前記コード生成用パラメータを使用して、前記コード画像を生成し直し、
前記コード画像を前記端末装置に送信し直す、
情報処理方法。
【請求項８】
情報処理装置が、
コード体系情報とそのコード体系に基づいてコード化するソース情報を取得し、
端末装置から表示部の仕様又は機種の情報を受信し、端末装置の表示部の仕様別又は機種別にコード生成用パラメータの候補を記憶するパラメータ記憶部を参照し、受信した前記表示部の前記仕様又は前記機種に基づいてコード生成用パラメータを選択し、
前記コード体系情報および前記コード生成用パラメータから前記ソース情報がコード化されたコード画像を生成し、
生成された複数の前記コード画像の中の少なくとも２つを前記端末装置に送信し、前記少なくとも２つのコード画像を前記端末装置の前記表示部に一括で表示させる、
情報処理方法。
【手続補正２】
【補正対象書類名】明細書
【補正対象項目名】発明の名称
【補正方法】変更
【補正の内容】
【発明の名称】情報処理装置、および情報処理方法
【手続補正３】
【補正対象書類名】明細書
【補正対象項目名】０００９
【補正方法】変更
【補正の内容】
【０００９】
第一の側面は、情報処理装置に関する。
第一の側面に係る第１の情報処理装置は、
コード体系情報とそのコード体系に基づいてコード化するソース情報を取得する情報取得手段と、
端末装置から表示部の仕様の情報を受信し、端末装置の表示部の仕様別にコード生成用パラメータの候補を記憶するパラメータ記憶部を参照し、受信した前記表示部の前記仕様に基づいてコード生成用パラメータを選択するパラメータ取得手段と、
前記コード体系情報および前記コード生成用パラメータから前記ソース情報がコード化されたコード画像を生成するコード生成手段と、
前記コード画像を前記端末装置に送信し、当該コード画像を前記端末装置の前記表示部にドットバイドット表示または整数倍表示させる表示制御手段と、
を有し、
前記パラメータ記憶部は、前記端末装置の表示部の仕様別に、前記コード体系毎に、コード生成用パラメータの複数の候補を当該候補の優先順位を示す情報に対応付けて記憶しており、
前記パラメータ取得手段は、受信した前記表示部の前記仕様に対応する各前記候補の中から優先順位に従って前記コード生成用パラメータを選択する。
第一の側面に係る第２の情報処理装置は、
コード体系情報とそのコード体系に基づいてコード化するソース情報を取得する情報取得手段と、
端末装置から機種の情報を受信し、端末装置の機種別にコード生成用パラメータの候補を記憶するパラメータ記憶部を参照し、受信した前記機種に基づいてコード生成用パラメータを選択するパラメータ取得手段と、
前記コード体系情報および前記コード生成用パラメータから前記ソース情報がコード化されたコード画像を生成するコード生成手段と、
前記コード画像を前記端末装置に送信し、当該コード画像を前記端末装置の表示部にドットバイドット表示または整数倍表示させる表示制御手段と、
を有し、
前記パラメータ記憶部は、前記端末装置の機種別に、前記コード体系毎に、コード生成用パラメータの複数の候補を当該候補の優先順位を示す情報に対応付けて記憶しており、
前記パラメータ取得手段は、受信した前記機種に対応する各前記候補の中から優先順位に従って前記コード生成用パラメータを選択する。
第一の側面に係る第３の情報処理装置は、
コード体系情報とそのコード体系に基づいてコード化するソース情報を取得する情報取得手段と、
端末装置から表示部の仕様又は機種の情報を受信し、端末装置の表示部の仕様別又は機種別にコード生成用パラメータの候補を記憶するパラメータ記憶部を参照し、受信した前記表示部の前記仕様又は前記機種に基づいてコード生成用パラメータを選択するパラメータ取得手段と、
前記コード体系情報および前記コード生成用パラメータから前記ソース情報がコード化されたコード画像を複数生成するコード生成手段と、
前記コード生成手段により生成された複数の前記コード画像の中の少なくとも２つを前記端末装置に送信し、前記少なくとも２つのコード画像を前記端末装置の前記表示部に一括で表示させる表示制御手段と、
を有する。
【手続補正４】
【補正対象書類名】明細書
【補正対象項目名】００１０
【補正方法】変更
【補正の内容】
【００１０】
第二の側面は、少なくとも１つのコンピュータにより実行される情報処理方法に関する。
第二の側面に係る第１の情報処理方法は、
情報処理装置が、
コード体系情報とそのコード体系に基づいてコード化するソース情報を取得し、
端末装置から表示部の仕様の情報を受信し、端末装置の表示部の仕様別にコード生成用パラメータの候補を記憶するパラメータ記憶部を参照し、受信した前記表示部の前記仕様に基づいてコード生成用パラメータを選択し、
前記コード体系情報および前記コード生成用パラメータから前記ソース情報がコード化されたコード画像を生成し、
前記コード画像を前記端末装置に送信し、当該コード画像を前記端末装置の前記表示部にドットバイドット表示または整数倍表示させる、
ことを含み、
前記パラメータ記憶部は、前記端末装置の表示部の仕様別に、前記コード体系毎に、コード生成用パラメータの複数の候補を当該候補の優先順位を示す情報に対応付けて記憶しており、
前記情報処理装置が、
受信した前記表示部の前記仕様に対応する各前記候補の中から優先順位に従って前記コード生成用パラメータを選択する。
第二の側面に係る第２の情報処理方法は、
情報処理装置が、
コード体系情報とそのコード体系に基づいてコード化するソース情報を取得し、
端末装置から機種の情報を受信し、端末装置の機種別にコード生成用パラメータの候補を記憶するパラメータ記憶部を参照し、受信した前記機種に基づいてコード生成用パラメータを選択し、
前記コード体系情報および前記コード生成用パラメータから前記ソース情報がコード化されたコード画像を生成し、
前記コード画像を前記端末装置に送信し、当該コード画像を前記端末装置の表示部にドットバイドット表示または整数倍表示させ、
前記パラメータ記憶部は、前記端末装置の機種別に、前記コード体系毎に、コード生成用パラメータの複数の候補を当該候補の優先順位を示す情報に対応付けて記憶しており、
前記情報処理装置が、
受信した前記機種に対応する各前記候補の中から優先順位に従って前記コード生成用パラメータを選択する、ことを含む。
第二の側面に係る第３の情報処理方法は、
情報処理装置が、
コード体系情報とそのコード体系に基づいてコード化するソース情報を取得し、
端末装置から表示部の仕様又は機種の情報を受信し、端末装置の表示部の仕様別又は機種別にコード生成用パラメータの候補を記憶するパラメータ記憶部を参照し、受信した前記表示部の前記仕様又は前記機種に基づいてコード生成用パラメータを選択し、
前記コード体系情報および前記コード生成用パラメータから前記ソース情報がコード化されたコード画像を生成し、
生成された複数の前記コード画像の中の少なくとも２つを前記端末装置に送信し、前記少なくとも２つのコード画像を前記端末装置の前記表示部に一括で表示させる、ことを含む。